(57)【要約】【課題】  寄生インダクタンスを著しく低減して、プラズマディスプレイパネルにおける電極の電圧波形のリンギングを低減することができるプラズマディスプレイ装置を提供する。【解決手段】  配線パターン４８は、導電層４９上に設けられている。配線パターン４８と導電層４９とは絶縁層４８ａにより絶縁されている。なお、部品実装面から見て、導電層４９、絶縁層４８ａおよび配線パターン４８がこの順に形成されている。この場合、配線パターン４８の寄生インダクタンスと導電層４９の寄生インダクタンスとに互いに逆方向の駆動電流が流れる。導電性支持具７２ａと導電性支持具７２ｂとが互いに近接して平行に設けられ、導電性支持具７２ｃと導電性支持具７２ｄとが互いに近接して平行に設けられている。【選択図】        図５
2006003810.tif 000002
【特許請求の範囲】
【請求項１】
プラズマディスプレイパネルと、
前記プラズマディスプレイパネルに駆動電流を供給するスイッチング素子を備える第１の回路基板と、
前記プラズマディスプレイパネルと前記第１の回路基板とを電気的に接続する第２の回路基板とを備え、
前記第１の回路基板は、第１の配線層と、前記第１の配線層から絶縁されかつ前記第１の配線層に対向するように配置された導電層とを含み、
前記第２の回路基板は、第２の配線層と、前記第２の配線層から絶縁されかつ前記第２の配線層に対向するように配置された第３の配線層とを含み、
前記第１の回路基板の前記第１の配線層は、前記スイッチング素子の出力側端子に電気的に接続される第１の接続部と、前記第２の回路基板の前記第２の配線層に電気的に接続される第２の接続部とを有し、
前記第１の回路基板の前記導電層は、前記スイッチング素子の接地側端子に電気的に接続される第３の接続部と、前記第２の回路基板の前記第３の配線層に電気的に接続される第４の接続部とを有し、
前記第１の配線層に流れる電流の方向と前記導電層に流れる電流の方向とが逆になるように前記第１、第２、第３および第４の接続部が配置されたことを特徴とするプラズマディスプレイ装置。
【請求項２】
前記プラズマディスプレイパネルを保持する導電性基板をさらに備え、
前記第２の配線層は、前記第１の配線層の前記第２の接続部に電気的に接続される第５の接続部と、前記プラズマディスプレイパネルに電気的に接続される第６の接続部とを有し、
前記第３の配線層は、前記導電層の前記第４の接続部に電気的に接続される第７の接続部と、前記導電性基板に電気的に接続される第８の接続部とを有し、
前記第２の配線層に流れる電流の方向と前記第３の配線層に流れる電流の方向とが逆になるように前記第５、第６、第７および第８の接続部が配置されたことを特徴とする請求項１記載のプラズマディスプレイ装置。
【請求項３】
前記第２の接続部と前記第５の接続部とを接続する第１の導電性支持具と、前記第４の接続部と前記第７の接続部とを接続する第２の導電性支持具とをさらに備え、
前記第１の導電性支持具および前記第２の導電性支持具は互いに略平行に配置されたことを特徴とする請求項２記載のプラズマディスプレイ装置。
【請求項４】
前記第２の回路基板は、第４の配線層と、前記第４の配線層から絶縁されかつ前記第４の配線層に対向するように配置された第５の配線層とをさらに備え、
前記第４の配線層は、前記第１の配線層の前記第１の接続部に電気的に接続される第９の接続部と、前記スイッチング素子の出力側端子に電気的に接続される第１０の接続部とを有し、
前記第５の配線層は、前記導電層の前記第３の接続部に電気的に接続される第１１の接続部と、前記スイッチング素子の接地側端子に電気的に接続される第１２の接続部とを有し、
前記第４の配線層に流れる電流の方向と前記第５の配線層に流れる電流の方向とが逆になるように前記第９、第１０、第１１および第１２の接続部が配置されたことを特徴とする請求項１〜３のいずれかに記載のプラズマディスプレイ装置。
【請求項５】
前記第１の接続部と前記第９の接続部とを接続する第３の導電性支持具と、前記第３の接続部と前記第１１の接続部とを接続する第４の導電性支持具とをさらに備え、
前記第３の導電性支持具および前記第４の導電性支持具は互いに略平行に配置されたことを特徴とする請求項４記載のプラズマディスプレイ装置。
【請求項６】
走査電極および維持電極を含むプラズマディスプレイパネルと、
前記プラズマディスプレイパネルの走査電極および維持電極にそれぞれ駆動電流を供給するスイッチング素子を備える一対の第１の回路基板と、
前記プラズマディスプレイパネルと前記一対の第１の回路基板の各々とを電気的に接続する一対の第２の回路基板とを備え、
各第１の回路基板は、第１の配線層と、前記第１の配線層から絶縁されかつ前記第１の配線層に対向するように配置された導電層とを含み、
各第２の回路基板は、第２の配線層と、前記第２の配線層から絶縁されかつ前記第２の配線層に対向するように配置された第３の配線層とを含み、
各第１の回路基板の前記第１の配線層は、前記スイッチング素子の出力側端子に電気的に接続される第１の接続部と、各第２の回路基板の前記第２の配線層に電気的に接続される第２の接続部とを有し、
各第１の回路基板の前記導電層は、前記スイッチング素子の接地側端子に電気的に接続される第３の接続部と、各第２の回路基板の前記第３の配線層に電気的に接続される第４の接続部とを有し、
前記第１の配線層に流れる電流の方向と前記導電層に流れる電流の方向とが逆になるように前記第１、第２、第３および第４の接続部が配置されたことを特徴とするプラズマディスプレイ装置。
【請求項７】
前記プラズマディスプレイパネルを保持する導電性基板をさらに備え、
各第２の配線層は、前記第１の配線層の前記第２の接続部に電気的に接続される第５の接続部と、前記プラズマディスプレイパネルに電気的に接続される第６の接続部とを有し、
各第３の配線層は、前記導電層の前記第４の接続部に電気的に接続される第７の接続部と、前記導電性基板に電気的に接続される第８の接続部とを有し、
前記第２の配線層に流れる電流の方向と前記第３の配線層に流れる電流の方向とが逆になるように前記第５、第６、第７および第８の接続部が配置されたことを特徴とする請求項６記載のプラズマディスプレイ装置。
【請求項８】
各第２の接続部と各第５の接続部とを接続する第１の導電性支持具と、各第４の接続部と各第７の接続部とを接続する第２の導電性支持具とをさらに備え、
前記第１の導電性支持具および前記第２の導電性支持具は互いに略平行に配置されたことを特徴とする請求項７記載のプラズマディスプレイ装置。
【請求項９】
各第２の回路基板は、第４の配線層と、前記第４の配線層から絶縁されかつ前記第４の配線層に対向するように配置された第５の配線層とをさらに備え、
各第２の回路基板の前記第４の配線層は、前記第１の配線層の前記第１の接続部に電気的に接続される第９の接続部と、前記スイッチング素子の出力側端子に電気的に接続される第１０の接続部とを有し、
各第２の回路基板の前記第５の配線層は、前記導電層の前記第３の接続部に電気的に接続される第１１の接続部と、前記スイッチング素子の接地側端子に電気的に接続される第１２の接続部とを有し、
前記第４の配線層に流れる電流の方向と前記第５の配線層に流れる電流の方向とが逆になるように前記第９、第１０、第１１および第１２の接続部が配置されたことを特徴とする請求項７または８記載のプラズマディスプレイ装置。
【請求項１０】
各第１の接続部と各第９の接続部とを接続する第３の導電性支持具と、各第３の接続部と各第１１の接続部とを接続する第４の導電性支持具とをさらに備え、
前記第３の導電性支持具および前記第４の導電性支持具は互いに略平行に配置されたことを特徴とする請求項９記載のプラズマディスプレイ装置。
【請求項１１】
前記プラズマディスプレイパネルは、一方の前記第２の回路基板の第６の接続部に電気的に接続される第１３の接続部と、他方の前記第２の回路基板の第６の接続部に電気的に接続される第１４の接続部とを有し、
前記導電性基板は、一方の前記第２の回路基板の第８の接続部に電気的に接続される第１５の接続部と、他方の前記第２の回路基板の第８の接続部に電気的に接続される第１６の接続部とを有し、
一方の前記第２の回路基板の第６の接続部と前記プラズマディスプレイパネルの前記第１３の接続部とを接続する第１のフレキシブル接続基板と、
他方の前記第２の回路基板の第６の接続部と前記プラズマディスプレイパネルの前記第１４の接続部とを接続する第２のフレキシブル接続基板と、
一方の前記第２の回路基板の第８の接続部と前記プラズマディスプレイパネルの前記第１５の接続部とを接続する第５の導電性支持具と、
他方の前記第２の回路基板の第８の接続部と前記プラズマディスプレイパネルの前記第１６の接続部とを接続する第６の導電性支持具とをさらに備え、
前記第１のフレキシブル接続基板および前記第５の導電性支持具は互いに近接して配置され、前記第２のフレキシブル接続基板および前記第６の導電性支持具は互いに近接して配置されたことを特徴とする請求項７〜１０のいずれかに記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
自発光画像表示器としてのプラズマディスプレイパネルを用いたプラズマディスプレイ装置は、薄型化および大画面化が可能であるという利点を有する。このプラズマディスプレイ装置では、画素を構成する放電セルの放電の際における発光を利用することにより画像を表示する。
【０００３】
上記のプラズマディスプレイ装置においては、一対の透明なガラス基板上に電極を備えるプラズマディスプレイパネルと、このプラズマディスプレイパネルを保持するシャーシ部材と、このシャーシ部材に取り付けられた表示駆動回路ブロックとによりプラズマディスプレイパネルのモジュールを構成している（例えば、特許文献１参照）。
【０００４】
ここで、プラズマディスプレイパネルの構造について説明する。図１０は、プラズマディスプレイ装置のプラズマディスプレイパネルの構造を示す模式図である。
【０００５】
図１０に示すように、透明なガラス基板等からなる前面側の基板１上には、走査電極と維持電極とにより対をなす複数列の表示電極２が形成されている。この複数の表示電極２を覆うように誘電体層３が形成され、この誘電体層３上には保護膜４が形成されている。
【０００６】
また、前面側の基板１に対向するように配置される背面側の基板５上には、表示電極２と交差するように、オーバーコート層６で覆われた複数列のアドレス電極７が形成されている。
【０００７】
オーバーコート層６上には、アドレス電極７と平行に複数の隔壁８がアドレス電極７間にそれぞれ設けられ、隔壁８間の側面およびオーバーコート層６上に蛍光体層９が設けられている。
【０００８】
上記の基板１および基板５は、表示電極２とアドレス電極７とがほぼ直交するようにかつ放電空間を形成するように対向的に配置されるとともに周囲が封止される。また、上記の放電空間には、ヘリウム、ネオン、アルゴンおよびキセノンのうちの一種または二種以上の気体が放電ガスとして封入される。
【０００９】
上記の放電空間を隔壁８によって複数の区画に仕切ることにより複数の放電セルが形成される。各放電セルには、赤色、緑色および青色の蛍光体層９が設けられる。
【００１０】
上記のような構成のプラズマディスプレイパネルにおいては、アドレス電極７と走査電極との間に書き込みパルスを印加することにより、アドレス電極７と走査電極との間でアドレス放電を行う。
【００１１】
そして、放電セルを選択した後、走査電極と維持電極との間に交互に反転する周期的なサステインパルスを印加することにより、走査電極と維持電極との間で維持放電を行い、所定の表示形態を実現する。
【００１２】
図１１は、プラズマディスプレイ装置の回路基板の構造を示す外観斜視図である。
【００１３】
図１１に示すように、プラズマディスプレイパネル（以下、ＰＤＰと呼ぶ）１１は、機械的強度を向上するために支持基板１２に接着されている。なお、ＰＤＰ１１は、後述の複数の走査電極１１ａおよび複数の維持電極１１ｂを含む。
【００１４】
ＰＤＰ１１の複数の走査電極１１ａには、複数のフレキシブル接続基板１３を介してサステイン回路基板１４が接続され、ＰＤＰ１１の複数の維持電極１１ｂには、複数のフレキシブル接続基板１３を介してサステイン回路基板１５が接続されている。
【００１５】
サステイン回路基板１４にはＰＤＰ１１を駆動するためのスイッチング素子１６，１７およびパルス電流供給源としての平滑コンデンサ１８が実装されており、サステイン回路基板１５にはＰＤＰ１１を駆動するためのスイッチング素子１９，２０およびパルス電流供給源としての平滑コンデンサ２１が実装されている。
【００１６】
サステイン回路基板１４，１５は、それぞれ複数の導電性支持具２２を介して導電性基板２３に取り付けられているとともに電気的に接続されている。また、サステイン回路基板１４，１５は、配線部材２５，２６を介して電源回路２４に接続されている。電源回路２４からサステイン回路基板１４，１５に電力が供給される。
【００１７】
図１２は、走査電極１１ａの電圧波形、維持電極１１ｂの電圧波形およびＰＤＰ１１の駆動電流波形を示す説明図であり、図１３は、プラズマディスプレイ装置における駆動電流の経路を示す概略図である。
【００１８】
図１２に示すように、上記のプラズマディスプレイ装置においては、サステイン回路基板１４とサステイン回路基板１５とから走査電極１１ａおよび維持電極１１ｂに対して交互にサステインパルスを印加する。それにより、ＰＤＰ１１に駆動電流が流れる。駆動電流は、サステインパルスが立ち上がるときのＰＤＰ１１の電極間容量を充電するための電流、サステインパルスが立ち下がるときの電極間容量を放電するための電流およびガス放電による放電電流がパルス状に繰り返し流れるものを含む。
【特許文献１】特許２８０７６７２号公報
【発明の開示】
【発明が解決しようとする課題】
【００１９】
図１３に示すように、まず、図１２の期間ｔ１において走査電極１１ａに印加されたサステインパルスにより、平滑コンデンサ１８のプラス側を始端として、スイッチング素子１６、ＰＤＰ１１、スイッチング素子２０、導電性基板２３および平滑コンデンサ１８のマイナス側へと順に駆動電流が流れる。
【００２０】
次に、図１２の期間ｔ２において維持電極１１ｂに印加されたサステインパルスにより、平滑コンデンサ２１のプラス側を始端として、スイッチング素子１９、ＰＤＰ１１、スイッチング素子１７、導電性基板２３および平滑コンデンサ２１のマイナス側へと順に駆動電流が流れる。なお、図１３において、ＣはＰＤＰ１１の各放電セルが有する容量性成分、Ｌ１〜Ｌ１４は寄生インダクタンスである。
【００２１】
しかしながら、ＰＤＰ１１とサステイン回路基板１４，１５、導電性基板２３から構成される電流経路には、寄生インダクタンスＬ１〜Ｌ１４が存在するため、変化率の大きい駆動電流が流れると、図１２に示すように、例えば４２インチサイズのＰＤＰ１１の場合、ＰＤＰ１１の走査電極１１ａおよび維持電極１１ｂに印加される電圧波形に大きなリンギングが生じる。それにより、各放電セルに印加される電圧が低下する。これに加えて、正常に放電するための電圧範囲が放電セルごとにばらつきがある。そのため、所望の輝度を表現できる放電セルと所望の輝度を表現できない放電セルとが存在することになる。その結果、ＰＤＰ１１全体において輝度のばらつきが生じる。
【００２２】
本発明の目的は、寄生インダクタンスを著しく低減して、プラズマディスプレイパネルにおける電極の電圧波形のリンギングを低減することができるプラズマディスプレイ装置を提供することである。
【課題を解決するための手段】
【００２３】
第１の発明に係るプラズマディスプレイ装置は、プラズマディスプレイパネルと、プラズマディスプレイパネルに駆動電流を供給するスイッチング素子を備える第１の回路基板と、プラズマディスプレイパネルと第１の回路基板とを電気的に接続する第２の回路基板とを備え、第１の回路基板は、第１の配線層と、第１の配線層から絶縁されかつ第１の配線層に対向するように配置された導電層とを含み、第２の回路基板は、第２の配線層と、第２の配線層から絶縁されかつ第２の配線層に対向するように配置された第３の配線層とを含み、第１の回路基板の第１の配線層は、スイッチング素子の出力側端子に電気的に接続される第１の接続部と、第２の回路基板の第２の配線層に電気的に接続される第２の接続部とを有し、第１の回路基板の導電層は、スイッチング素子の接地側端子に電気的に接続される第３の接続部と、第２の回路基板の第３の配線層に電気的に接続される第４の接続部とを有し、第１の配線層に流れる電流の方向と導電層に流れる電流の方向とが逆になるように第１、第２、第３および第４の接続部が配置されたものである。
【００２４】
本発明に係るプラズマディスプレイ装置においては、第１の回路基板の第１の配線層とスイッチング素子の出力側端子とが第１の配線層の第１の接続部により電気的に接続され、第１の回路基板の第１の配線層と第２の回路基板の第２の配線層とが第１の配線層の第２の接続部により電気的に接続される。
【００２５】
また、第１の回路基板の導電層とスイッチング素子の接地側端子とが導電層の第３の接続部により電気的に接続され、第１の回路基板の導電層と第２の回路基板の第３の配線層とが導電層の第４の接続部により電気的に接続される。
【００２６】
さらに、第１の配線層に流れる電流の方向と導電層に流れる電流の方向とが逆になるように第１、第２、第３および第４の接続部が配置される。それにより、第１の配線層の寄生インダクタンスにより発生する起電力の向きと導電層の寄生インダクタンスにより発生する起電力の向きとが逆になり、それらの起電力が互いに打ち消し合う。すなわち、第１の配線層および導電層により負の相互インダクタンスが形成され、第１の配線層の寄生インダクタンスと導電層の寄生インダクタンスとが等価的に低減される。その結果、プラズマディスプレイパネルにおける電極の電圧波形のリンギングを低減することができる。
【００２７】
プラズマディスプレイ装置は、プラズマディスプレイパネルを保持する導電性基板をさらに備え、第２の配線層は、第１の配線層の第２の接続部に電気的に接続される第５の接続部と、プラズマディスプレイパネルに電気的に接続される第６の接続部とを有し、第３の配線層は、導電層の第４の接続部に電気的に接続される第７の接続部と、導電性基板に電気的に接続される第８の接続部とを有し、第２の配線層に流れる電流の方向と第３の配線層に流れる電流の方向とが逆になるように第５、第６、第７および第８の接続部が配置されてもよい。
【００２８】
この場合、第２の配線層と第１の配線層の第２の接続部とが第２の配線層の第５の接続部により電気的に接続され、第２の配線層とプラズマディスプレイパネルとが第２の配線層の第６の接続部により電気的に接続される。
【００２９】
また、第３の配線層と導電層の第４の接続部とが第３の配線層の第７の接続部により電気的に接続され、第３の配線層と導電性基板とが第３の配線層の第８の接続部により電気的に接続される。
【００３０】
さらに、第２の配線層に流れる電流の方向と第３の配線層に流れる電流の方向とが逆になるように第５、第６、第７および第８の接続部が配置される。それにより、第２の配線層の寄生インダクタンスにより発生する起電力の向きと第３の配線層の寄生インダクタンスにより発生する起電力の向きとが逆になり、それらの起電力が互いに打ち消し合う。すなわち、第２の配線層および第３の配線層により負の相互インダクタンスが形成され、第２の配線層の寄生インダクタンスと第３の配線層の寄生インダクタンスとが等価的に低減される。その結果、プラズマディスプレイパネルにおける電極の電圧波形のリンギングをより低減することができる。
【００３１】
プラズマディスプレイ装置は、第２の接続部と第５の接続部とを接続する第１の導電性支持具と、第４の接続部と第７の接続部とを接続する第２の導電性支持具とをさらに備え、第１の導電性支持具および第２の導電性支持具は互いに略平行に配置されてもよい。
【００３２】
この場合、第２の接続部と第５の接続部とを接続する第１の導電性支持具に流れる電流の方向と第４の接続部と第７の接続部とを接続する第２の導電性支持具に流れる電流の方向とが逆になる。それにより、第１の導電性支持具の寄生インダクタンスにより発生する起電力の向きと第２の導電性支持具の寄生インダクタンスにより発生する起電力の向きとが逆になり、それらの起電力が互いに打ち消し合う。すなわち、第１の導電性支持具および第２の導電性支持具により負の相互インダクタンスが形成され、第１の導電性支持具の寄生インダクタンスと第２の導電性支持具の寄生インダクタンスとが等価的に低減される。その結果、プラズマディスプレイパネルにおける電極の電圧波形のリンギングをさらに低減することができる。
【００３３】
第２の回路基板は、第４の配線層と、第４の配線層から絶縁されかつ第４の配線層に対向するように配置された第５の配線層とをさらに備え、第４の配線層は、第１の配線層の第１の接続部に電気的に接続される第９の接続部と、スイッチング素子の出力側端子に電気的に接続される第１０の接続部とを有し、第５の配線層は、導電層の第３の接続部に電気的に接続される第１１の接続部と、スイッチング素子の接地側端子に電気的に接続される第１２の接続部とを有し、第４の配線層に流れる電流の方向と第５の配線層に流れる電流の方向とが逆になるように第９、第１０、第１１および第１２の接続部が配置されてもよい。
【００３４】
この場合、第４の配線層と第１の配線層の第１の接続部とが第４の配線層の第９の接続部により電気的に接続され、第４の配線層とスイッチング素子の出力側端子とが第４の配線層の第１０の接続部により電気的に接続される。
【００３５】
また、第５の配線層と導電層の第３の接続部とが第５の配線層の第１１の接続部により電気的に接続され、第５の配線層とスイッチング素子の接地側端子とが第５の配線層の第１２の接続部により電気的に接続される。
【００３６】
さらに、第４の配線層に流れる電流の方向と第５の配線層に流れる電流の方向とが逆になるように第９、第１０、第１１および第１２の接続部が配置される。それにより、第４の配線層の寄生インダクタンスにより発生する起電力の向きと第５の配線層の寄生インダクタンスにより発生する起電力の向きとが逆になり、それらの起電力が互いに打ち消し合う。すなわち、第４の配線層および第５の配線層により負の相互インダクタンスが形成され、第４の配線層の寄生インダクタンスと第５の配線層の寄生インダクタンスとが等価的に低減される。その結果、プラズマディスプレイパネルにおける電極の電圧波形のリンギングをより低減することができる。
【００３７】
プラズマディスプレイ装置は、第１の接続部と第９の接続部とを接続する第３の導電性支持具と、第３の接続部と第１１の接続部とを接続する第４の導電性支持具とをさらに備え、第３の導電性支持具および第４の導電性支持具は互いに略平行に配置されてもよい。
【００３８】
この場合、第１の接続部と第９の接続部とを接続する第３の導電性支持具に流れる電流の方向と、第３の接続部と第１１の接続部とを接続する第４の導電性支持具に流れる電流の方向とが逆になる。それにより、第３の導電性支持具の寄生インダクタンスにより発生する起電力の向きと第４の導電性支持具の寄生インダクタンスにより発生する起電力の向きとが逆になり、それらの起電力が互いに打ち消し合う。すなわち、第３の導電性支持具および第４の導電性支持具により負の相互インダクタンスが形成され、第３の導電性支持具の寄生インダクタンスと第４の導電性支持具の寄生インダクタンスとが等価的に低減される。その結果、プラズマディスプレイパネルにおける電極の電圧波形のリンギングをさらに低減することができる。
【００３９】
第２の発明に係るプラズマディスプレイ装置は、走査電極および維持電極を含むプラズマディスプレイパネルと、プラズマディスプレイパネルの走査電極および維持電極にそれぞれ駆動電流を供給するスイッチング素子を備える一対の第１の回路基板と、プラズマディスプレイパネルと一対の第１の回路基板の各々とを電気的に接続する一対の第２の回路基板とを備え、各第１の回路基板は、第１の配線層と、第１の配線層から絶縁されかつ第１の配線層に対向するように配置された導電層とを含み、各第２の回路基板は、第２の配線層と、第２の配線層から絶縁されかつ第２の配線層に対向するように配置された第３の配線層とを含み、各第１の回路基板の第１の配線層は、スイッチング素子の出力側端子に電気的に接続される第１の接続部と、各第２の回路基板の第２の配線層に電気的に接続される第２の接続部とを有し、各第１の回路基板の導電層は、スイッチング素子の接地側端子に電気的に接続される第３の接続部と、各第２の回路基板の第３の配線層に電気的に接続される第４の接続部とを有し、第１の配線層に流れる電流の方向と導電層に流れる電流の方向とが逆になるように第１、第２、第３および第４の接続部が配置されたものである。
【００４０】
本発明に係るプラズマディスプレイ装置においては、各第１の回路基板の第１の配線層とスイッチング素子の出力側端子とが第１の配線層の第１の接続部により電気的に接続され、各第１の回路基板の第１の配線層と各第２の回路基板の第２の配線層とが第１の配線層の第２の接続部により電気的に接続される。
【００４１】
また、各第１の回路基板の導電層とスイッチング素子の接地側端子とが導電層の第３の接続部により電気的に接続され、各第１の回路基板の導電層と各第２の回路基板の第３の配線層とが導電層の第４の接続部により電気的に接続される。
【００４２】
さらに、第１の配線層に流れる電流の方向と導電層に流れる電流の方向とが逆になるように第１、第２、第３および第４の接続部が配置される。それにより、第１の配線層の寄生インダクタンスにより発生する起電力の向きと導電層の寄生インダクタンスにより発生する起電力の向きとが逆になり、それらの起電力が互いに打ち消し合う。すなわち、第１の配線層および導電層により負の相互インダクタンスが形成され、第１の配線層の寄生インダクタンスと導電層の寄生インダクタンスとが等価的に低減される。その結果、プラズマディスプレイパネルにおける電極の電圧波形のリンギングを低減することができる。
【００４３】
プラズマディスプレイ装置は、プラズマディスプレイパネルを保持する導電性基板をさらに備え、各第２の配線層は、第１の配線層の第２の接続部に電気的に接続される第５の接続部と、プラズマディスプレイパネルに電気的に接続される第６の接続部とを有し、各第３の配線層は、導電層の第４の接続部に電気的に接続される第７の接続部と、導電性基板に電気的に接続される第８の接続部とを有し、第２の配線層に流れる電流の方向と第３の配線層に流れる電流の方向とが逆になるように第５、第６、第７および第８の接続部が配置されてもよい。
【００４４】
この場合、各第２の配線層と第１の配線層の第２の接続部とが第２の配線層の第５の接続部により電気的に接続され、各第２の配線層とプラズマディスプレイパネルとが第２の配線層の第６の接続部により電気的に接続される。
【００４５】
また、各第３の配線層と導電層の第４の接続部とが第３の配線層の第７の接続部により電気的に接続され、各第３の配線層と導電性基板とが第３の配線層の第８の接続部により電気的に接続される。
【００４６】
さらに、第２の配線層に流れる電流の方向と第３の配線層に流れる電流の方向とが逆になるように第５、第６、第７および第８の接続部が配置される。それにより、第２の配線層の寄生インダクタンスにより発生する起電力の向きと第３の配線層の寄生インダクタンスにより発生する起電力の向きとが逆になり、それらの起電力が互いに打ち消し合う。すなわち、第２の配線層および第３の配線層により負の相互インダクタンスが形成され、第２の配線層の寄生インダクタンスと第３の配線層の寄生インダクタンスとが等価的に低減される。その結果、プラズマディスプレイパネルにおける電極の電圧波形のリンギングをより低減することができる。
【００４７】
プラズマディスプレイ装置は、各第２の接続部と各第５の接続部とを接続する第１の導電性支持具と、各第４の接続部と各第７の接続部とを接続する第２の導電性支持具とをさらに備え、第１の導電性支持具および第２の導電性支持具は互いに略平行に配置されてもよい。
【００４８】
この場合、各第２の接続部と各第５の接続部とを接続する第１の導電性支持具に流れる電流の方向と各第４の接続部と各第７の接続部とを接続する第２の導電性支持具に流れる電流の方向とが逆になる。それにより、第１の導電性支持具の寄生インダクタンスにより発生する起電力の向きと第２の導電性支持具の寄生インダクタンスにより発生する起電力の向きとが逆になり、それらの起電力が互いに打ち消し合う。すなわち、第１の導電性支持具および第２の導電性支持具により負の相互インダクタンスが形成され、第１の導電性支持具の寄生インダクタンスと第２の導電性支持具の寄生インダクタンスとが等価的に低減される。その結果、プラズマディスプレイパネルにおける電極の電圧波形のリンギングをさらに低減することができる。
【００４９】
各第２の回路基板は、第４の配線層と、第４の配線層から絶縁されかつ第４の配線層に対向するように配置された第５の配線層とをさらに備え、各第２の回路基板の第４の配線層は、第１の配線層の第１の接続部に電気的に接続される第９の接続部と、スイッチング素子の出力側端子に電気的に接続される第１０の接続部とを有し、各第２の回路基板の第５の配線層は、導電層の第３の接続部に電気的に接続される第１１の接続部と、スイッチング素子の接地側端子に電気的に接続される第１２の接続部とを有し、第４の配線層に流れる電流の方向と第５の配線層に流れる電流の方向とが逆になるように第９、第１０、第１１および第１２の接続部が配置されてもよい。
【００５０】
この場合、各第２の回路基板の第４の配線層と各第１の回路基板の第１の配線層の第１の接続部とが第４の配線層の第９の接続部により電気的に接続され、第４の配線層とスイッチング素子の出力側端子とが第４の配線層の第１０の接続部により電気的に接続される。
【００５１】
また、各第２の回路基板の第５の配線層と各第１の回路基板の導電層の第３の接続部とが第５の配線層の第１１の接続部により電気的に接続され、第５の配線層とスイッチング素子の接地側端子とが第５の配線層の第１２の接続部により電気的に接続される。
【００５２】
さらに、第４の配線層に流れる電流の方向と第５の配線層に流れる電流の方向とが逆になるように第９、第１０、第１１および第１２の接続部が配置される。それにより、第４の配線層の寄生インダクタンスにより発生する起電力の向きと第５の配線層の寄生インダクタンスにより発生する起電力の向きとが逆になり、それらの起電力が互いに打ち消し合う。すなわち、第４の配線層および第５の配線層により負の相互インダクタンスが形成され、第４の配線層の寄生インダクタンスと第５の配線層の寄生インダクタンスとが等価的に低減される。その結果、プラズマディスプレイパネルにおける電極の電圧波形のリンギングをより低減することができる。
【００５３】
プラズマディスプレイ装置は、各第１の接続部と各第９の接続部とを接続する第３の導電性支持具と、各第３の接続部と各第１１の接続部とを接続する第４の導電性支持具とをさらに備え、第３の導電性支持具および第４の導電性支持具は互いに略平行に配置されてもよい。
【００５４】
この場合、各第１の接続部と各第９の接続部とを接続する第３の導電性支持具に流れる電流の方向と各第３の接続部と各第１１の接続部とを接続する第４の導電性支持具に流れる電流の方向とが逆になる。それにより、第３の導電性支持具の寄生インダクタンスにより発生する起電力の向きと第４の導電性支持具の寄生インダクタンスにより発生する起電力の向きとが逆になり、それらの起電力が互いに打ち消し合う。すなわち、第３の導電性支持具および第４の導電性支持具により負の相互インダクタンスが形成され、第３の導電性支持具の寄生インダクタンスと第４の導電性支持具の寄生インダクタンスとが等価的に低減される。その結果、プラズマディスプレイパネルにおける電極の電圧波形のリンギングをさらに低減することができる。
【００５５】
プラズマディスプレイパネルは、一方の第２の回路基板の第６の接続部に電気的に接続される第１３の接続部と、他方の第２の回路基板の第６の接続部に電気的に接続される第１４の接続部とを有し、導電性基板は、一方の第２の回路基板の第８の接続部に電気的に接続される第１５の接続部と、他方の第２の回路基板の第８の接続部に電気的に接続される第１６の接続部とを有し、プラズマディスプレイ装置は、一方の第２の回路基板の第６の接続部とプラズマディスプレイパネルの第１３の接続部とを接続する第１のフレキシブル接続基板と、他方の第２の回路基板の第６の接続部とプラズマディスプレイパネルの第１４の接続部とを接続する第２のフレキシブル接続基板と、一方の第２の回路基板の第８の接続部とプラズマディスプレイパネルの第１５の接続部とを接続する第５の導電性支持具と、他方の第２の回路基板の第８の接続部とプラズマディスプレイパネルの第１６の接続部とを接続する第６の導電性支持具とをさらに備え、第１のフレキシブル接続基板および第５の導電性支持具は互いに近接して配置され、第２のフレキシブル接続基板および第６の導電性支持具は互いに近接して配置されてもよい。
【００５６】
この場合、一方の第２の回路基板の第６の接続部とプラズマディスプレイパネルの第１３の接続部とが第１のフレキシブル接続基板により接続され、他方の第２の回路基板の第６の接続部とプラズマディスプレイパネルの第１４の接続部とが第２のフレキシブル接続基板により接続される。
【００５７】
また、一方の第２の回路基板の第８の接続部とプラズマディスプレイパネルの第１５の接続部とが第５の導電性支持具により接続され、他方の第２の回路基板の第８の接続部とプラズマディスプレイパネルの第１６の接続部とが第６の導電性支持具により接続される。
【００５８】
さらに、第１のフレキシブル接続基板および第５の導電性支持具は互いに近接して配置され、第２のフレキシブル接続基板および第６の導電性支持具は互いに近接して配置されている。
【００５９】
上記のような構成において、第１のフレキシブル接続基板に流れる電流の方向と第５の導電性支持具に流れる電流の方向とが逆になる。それにより、第１のフレキシブル接続基板の寄生インダクタンスにより発生する起電力の向きと第５の導電性支持具の寄生インダクタンスにより発生する起電力の向きとが逆になり、それらの起電力が互いに打ち消し合う。すなわち、第１のフレキシブル接続基板および第５の導電性支持具により負の相互インダクタンスが形成され、第１のフレキシブル接続基板の寄生インダクタンスと第５の導電性支持具の寄生インダクタンスとが等価的に低減される。その結果、プラズマディスプレイパネルにおける電極の電圧波形のリンギングをさらに低減することができる。
【００６０】
また、第２のフレキシブル接続基板に流れる電流の方向と第６の導電性支持具に流れる電流の方向とが逆になる。それにより、第２のフレキシブル接続基板の寄生インダクタンスにより発生する起電力の向きと第６の導電性支持具の寄生インダクタンスにより発生する起電力の向きとが逆になり、それらの起電力が互いに打ち消し合う。すなわち、第２のフレキシブル接続基板および第６の導電性支持具により負の相互インダクタンスが形成され、第２のフレキシブル接続基板の寄生インダクタンスと第６の導電性支持具の寄生インダクタンスとが等価的に低減される。その結果、プラズマディスプレイパネルにおける電極の電圧波形のリンギングをさらに低減することができる。
【発明の効果】
【００６１】
本発明によれば、第１の配線層に流れる電流の方向と導電層に流れる電流の方向とが逆になるように第１、第２、第３および第４の接続部が配置されることにより、第１の配線層の寄生インダクタンスにより発生する起電力の向きと導電層の寄生インダクタンスにより発生する起電力の向きとが逆になり、それらの起電力が互いに打ち消し合う。すなわち、第１の配線層および導電層により負の相互インダクタンスが形成され、第１の配線層の寄生インダクタンスと導電層の寄生インダクタンスとが等価的に低減される。その結果、プラズマディスプレイパネルにおける電極の電圧波形のリンギングを低減することができる。
【発明を実施するための最良の形態】
【００６２】
以下、本実施の形態に係るプラズマディスプレイ装置について図面を参照しながら説明する。
【００６３】
図１は、本発明の実施の形態に係るプラズマディスプレイ装置の構成を示すブロック図である。
【００６４】
図１に示すように、プラズマディスプレイ装置は、Ａ／Ｄコンバータ（アナログ・デジタル変換器）２００、走査数変換部３００、サブフィールド変換部４００、放電制御タイミング発生回路５００、プラズマディスプレイパネル（ＰＤＰ）６００、データドライバ７００、スキャンドライバ８００およびサステインドライバ９００を含む。
【００６５】
Ａ／Ｄコンバータ２００には映像信号ＶＳが入力される。また、放電制御タイミング発生回路５００、Ａ／Ｄコンバータ２００、走査数変換部３００およびサブフィールド変換部４００には水平同期信号Ｈおよび垂直同期信号Ｖが与えられる。
【００６６】
Ａ／Ｄコンバータ２００は、映像信号ＶＳをデジタルの画像データＶＤに変換し、その画像データＶＤを走査数変換部３００に与える。
【００６７】
走査数変換部３００は、画像データＶＤをＰＤＰ６００の画素数に応じたライン数の画像データに変換し、各ラインごとの画像データをサブフィールド変換部４００に与える。各ラインごとの画像データは、各ラインの複数の画素にそれぞれ対応する複数の画素データからなる。
【００６８】
サブフィールド変換部４００は、各ラインごとの画像データの各画素データを複数のサブフィールドに対応するシリアルデータＳＤに変換し、シリアルデータＳＤをデータドライバ７００に与える。
【００６９】
放電制御タイミング発生回路５００は、水平同期信号Ｈおよび垂直同期信号Ｖを基準として放電制御タイミング信号ＳＣ，ＳＵを発生する。放電制御タイミング発生回路５００は、放電制御タイミング信号ＳＣをスキャンドライバ８００に与え、放電制御タイミング信号ＳＵをサステインドライバ９００に与える。
【００７０】
ＰＤＰ６００は、複数のデータ電極１１ｃ、複数のスキャン電極（走査電極）１１ａおよび複数のサステイン電極（維持電極）１１ｂを含む。複数のデータ電極１１ｃは、画面の垂直方向に配列され、複数の走査電極１１ａおよび複数の維持電極１１ｂは画面の水平方向に配列されている。複数の維持電極１１ｂは共通に接続されている。
【００７１】
データ電極１１ｃ、走査電極１１ａおよび維持電極１１ｂの各交点に放電セルが形成され、各放電セルが画面上の画素を構成する。
【００７２】
データドライバ７００は、サブフィールド変換部４００から与えられるシリアルデータＳＤをパラレルデータに変換し、そのパラレルデータに基づいて書き込みパルスを複数のデータ電極１１ｃに選択的に与える。
【００７３】
スキャンドライバ８００は、放電制御タイミング発生回路５００から与えられる放電制御タイミング信号ＳＣに基づいて各走査電極１１ａを駆動する。サステインドライバ９００は、放電制御タイミング発生回路５００から与えられる放電制御タイミング信号ＳＵに基づいて維持電極１１ｂを駆動する。
【００７４】
図１に示すプラズマディスプレイ装置では、階調表示駆動方式として、ＡＤＳ（Address Display-Period Separation：アドレス・表示期間分離）方式を用いることができる。
【００７５】
図２は、図１に示すプラズマディスプレイ装置に適用されるＡＤＳ方式を説明するための図である。なお、図２では、駆動パルスの立ち下がり時に放電を行う負極性のパルスの例を示しているが、立ち上がり時に放電を行う正極性のパルスの場合でも基本的な動作は以下と同様である。
【００７６】
ＡＤＳ方式では、１フィールドを複数のサブフィールドに時間的に分割する。例えば、１フィールドを５つのサブフィールドＳＦ１〜ＳＦ５に分割する。また、各サブフィールドＳＦ１〜ＳＦ５は、初期化期間Ｒ１〜Ｒ５、書き込み期間ＡＤ１〜ＡＤ５、維持期間ＳＵＳ１〜ＳＵＳ５および消去期間ＲＳ１〜ＲＳ５に分離される。初期化期間Ｒ１〜Ｒ５においては、各サブフィールドの初期化処理が行われ、書き込み期間ＡＤ１〜ＡＤ５においては、点灯される放電セルを選択するためのアドレス放電が行われ、維持期間ＳＵＳ１〜ＳＵＳ５においては、表示のための維持放電が行われる。
【００７７】
初期化期間Ｒ１〜Ｒ５においては、維持電極１１ｂに単一の初期化パルスが加えられ、走査電極１１ａにもそれぞれ単一の初期化パルスが加えられる。これにより予備放電が行われる。
【００７８】
書き込み期間ＡＤ１〜ＡＤ５においては、走査電極１１ａが順次走査され、データ電極１１ｃから書き込みパルスを受けた放電セルだけに所定の書き込み処理が行われる。これによりアドレス放電が行われる。
【００７９】
維持期間ＳＵＳ１〜ＳＵＳ５においては、各サブフィールドＳＦ１〜ＳＦ５に重み付けされた値に応じたサステインパルスが維持電極１１ｂおよび走査電極１１ａへ出力される。例えば、サブフィールドＳＦ１では、維持電極１１ｂにサステインパルスが１回印加され、走査電極１１ａにサステインパルスが１回印加され、書き込み期間Ｐ２において選択された放電セル１４が２回維持放電を行う。また、サブフィールドＳＦ２では、維持電極１１ｂにサステインパルスが２回印加され、走査電極１１ａにサステインパルスが２回印加され、書き込み期間Ｐ２において選択された放電セル１４が４回維持放電を行う。
【００８０】
上記のように、各サブフィールドＳＦ１〜ＳＦ５では、維持電極１１ｂおよび走査電極１１ａに１回、２回、４回、８回、１６回ずつサステインパルスが印加され、パルス数に応じた明るさ（輝度）で放電セルが発光する。すなわち、維持期間ＳＵＳ１〜ＳＵＳ５は、書き込み期間ＡＤ１〜ＡＤ５で選択された放電セルが明るさの重み付け量に応じた回数で放電する期間である。
【００８１】
図３は、本実施の形態に係るプラズマディスプレイ装置を示す外観斜視図である。
【００８２】
図３に示すように、ＰＤＰ６００にアルミニウム等からなる導電性基板３１が図示しない熱伝導性部材を介して接着される。なお、ＰＤＰ６００は、図１の複数の走査電極１１ａおよび複数の維持電極１１ｂを含む。
【００８３】
導電性基板３１上にビス等からなる複数の導電性支持具３４，３４ａによりサステイン回路基板３２，３３がそれぞれ取り付けられている。
【００８４】
サステイン回路基板３２，３３は、それぞれ配線基板としての複数のフレキシブル接続基板３５，３５ａを介してＰＤＰ６００の走査電極１１ａおよび維持電極１１ｂにそれぞれ接続されている。なお、フレキシブル接続基板３５，３５ａは、それぞれ導電性支持具３４，３４ａに近接して配置されている。
【００８５】
サステイン回路基板３２，３３には、パルス電流の供給源である平滑コンデンサ４０，４１がそれぞれ実装されている。また、サステイン回路基板３２，３３上において、ビス等からなる複数の導電性支持具７２によりモジュール基板７０，７１がそれぞれ取り付けられている。
【００８６】
このモジュール基板７０上にはＰＤＰ６００を駆動するためのＭＯＳＦＥＴ（金属酸化物半導体電界効果トランジスタ）等からなるスイッチング素子３６，３７が設けられ、モジュール基板７１上にもＭＯＳＦＥＴ等からなるスイッチング素子３８，３９が設けられている。
【００８７】
また、導電性基板３１上には電源回路５０が設けられている。電源回路５０は、配線部材５１を介してサステイン回路基板３２上に設けられた平滑コンデンサ４０に接続されているとともに、配線部材５２を介してサステイン回路基板３３上に設けられた平滑コンデンサ４１に接続されている。
【００８８】
本実施の形態においては、スイッチング素子３６，３７およびスイッチング素子３８，３９が、それぞれモジュール基板７０のアルミ基板からなる導電層４５およびモジュール基板７１のアルミ基板からなる導電層４９上に設けられていることにより、スイッチング素子３６，３７，３８，３９の放熱が向上される。
【００８９】
なお、以下の図４〜図８においては、図３の複数の導電性支持具７２の各々を特定するために各導電性支持具７２に符号７２ａ，７２ｂ，７２ｃ，７２ｄ，７２ｅ，７２ｆ，７２ｇ，７２ｈ，７２ｉ，７２ｊ，７２ｋ，７２ｌを付している。
【００９０】
図４（ａ），（ｂ），（ｃ），（ｄ）は、サステイン回路基板３２，３３およびモジュール基板７０，７１上を流れる維持電極１１ｂの駆動電流の経路を示す説明図であり、図５は、図４（ａ）に示す駆動電流の経路の詳細を示す説明図である。
【００９１】
なお、図４（ａ），（ｂ），（ｃ），（ｄ）は、サステイン回路基板３３上に設けられた平滑コンデンサ４１のプラス側電極から流出した駆動電流が平滑コンデンサ４１のマイナス側電極へ流入するまでの駆動電流の経路を順に示し、図４中の矢印は駆動電流の流れる方向を示している。
【００９２】
また、図４（ａ）〜（ｄ）は、サステイン回路基板３３の部品実装面から見た説明図であり、部品実装面から視認される配線パターンを実線の斜線により示し、部品実装面から視認されない配線パターンを点線の斜線により示している。
【００９３】
最初に、図５を用いてサステイン回路基板３３上に設けられた配線パターンおよびモジュール基板７１の構造およびこれらの接続について説明する。
【００９４】
図５に示すように、モジュール基板７１は、配線パターン４８、絶縁層４８ａおよび導電層４９を含む。導電層４９は、例えばアルミニウムからなる基板（以下、アルミ基板と略記する）である。
【００９５】
配線パターン４８は、導電層４９上に設けられている。配線パターン４８と導電層４９とは絶縁層４８ａにより絶縁されている。なお、サステイン回路基板３３の部品実装面から見て、導電層４９、絶縁層４８ａおよび配線パターン４８がこの順に形成されている。また、モジュール基板７０の構成はモジュール基板７１の構成と同様である。
【００９６】
サステイン回路基板３３上に配線パターン８２、絶縁層８１ａおよび配線パターン８１がこの順に形成されている。
【００９７】
また、サステイン回路基板３３上に配線パターン４７、絶縁層４６ａおよび配線パターン４６がこの順に形成されている。
【００９８】
平滑コンデンサ４１のプラス側電極は、導電性支持具７３ａを介してサステイン回路基板３３上に設けられた配線パターン８１に接続されている。この場合、導電性支持具７３ａは、配線パターン８１が有する接続部Ｃ１０に接続される。
【００９９】
配線パターン８１は、導電性支持具７２ａを介してモジュール基板７１の配線パターン４８に接続されている。この場合、配線パターン８１が有する接続部Ｃ９と配線パターン４８が有する接続部Ｃ１とが導電性支持具７２ａにより接続される。
【０１００】
モジュール基板７１の配線パターン４８は、導電性支持具７２ｄを介してサステイン回路基板３３上に設けられた配線パターン４６に接続されている。この場合、配線パターン４８が有する接続部Ｃ２と配線パターン４６が有する接続部Ｃ５とが導電性支持具７２ｄにより接続される。配線パターン４６は、配線パターン４６が有する接続部Ｃ６を介して複数のフレキシブル接続基板３５ａに接続されている。
【０１０１】
上記の構成により、平滑コンデンサ４１のプラス側電極から流出した駆動電流は、導電性支持具７３ａ、配線パターン８１、導電性支持具７２ａ、配線パターン４８、図３のスイッチング素子３８、導電性支持具７２ｄおよび配線パターン４６を順に流れる。
【０１０２】
配線パターン４７は、導電性支持具７２ｃを介して導電層４９に接続されている。この場合、配線パターン４７が有する接続部Ｃ７と導電層４９が有する接続部Ｃ４とが導電性支持具７２ｃにより接続される。ここで、配線パターン４６および配線パターン４８にそれぞれ設けられたスルーホールＨ５，Ｈ４内に導電性支持具７２ｃが介挿されていることにより、導電性支持具７２ｃが配線パターン４６および配線パターン４８から絶縁されている。なお、配線パターン４７は、配線パターン４７が有する接続部Ｃ８を介して複数の導電性支持具３４ａに接続されている。
【０１０３】
導電層４９は、配線パターン８２に導電性支持具７２ｂを介して接続されている。この場合、導電層４９が有する接続部Ｃ３と配線パターン８２が有する接続部Ｃ１１とが導電性支持具７２ｂにより接続される。ここで、配線パターン４８および配線パターン８１にそれぞれ設けられたスルーホールＨ３，Ｈ２内に導電性支持具７２ｂが介挿されていることにより、導電性支持具７２ｂが配線パターン４８および配線パターン８１から絶縁されている。
【０１０４】
配線パターン８２は、導電性支持具７３ｂを介して平滑コンデンサ４１のマイナス側電極に接続されている。この場合、導電性支持具７３ｂは、配線パターン８２が有する接続部Ｃ１２に接続される。なお、配線パターン８１に設けられたスルーホールＨ１内に導電性支持具７３ｂが介挿されていることにより、導電性支持具７３ｂが配線パターン８１から絶縁されている。
【０１０５】
上記の構成により、平滑コンデンサ４１のプラス側電極から流出した駆動電流は、配線パターン４７、導電性支持具７２ｃ、導電層４９、導電性支持具７２ｂ、配線パターン８２および導電性支持具７３ｂを順に流れ、平滑コンデンサ４１のマイナス側電極に流入する。
【０１０６】
なお、本実施の形態では、導電性支持具７３ａと導電性支持具７３ｂとが互いに近接して平行に設けられ、導電性支持具７２ａと導電性支持具７２ｂとが互いに近接して平行に設けられ、導電性支持具７２ｃと導電性支持具７２ｄとが互いに近接して平行に設けられている。
【０１０７】
図４（ａ）に示すように、平滑コンデンサ４１のプラス側電極から流出した駆動電流は、図５の導電性支持具７３ａ、配線パターン８１、導電性支持具７２ａ、配線パターン４８、スイッチング素子３８、導電性支持具７２ｄおよび配線パターン４６を順に流れ、その後、複数のフレキシブル接続基板３５ａに流入する。
【０１０８】
複数のフレキシブル接続基板３５ａから流出した駆動電流は図３のＰＤＰ６００内を流れた後、図４（ｂ）のサステイン回路基板３２に接続された複数のフレキシブル接続基板３５に流入する。
【０１０９】
ここで、図４（ｂ）に示すように、サステイン回路基板３２上に配線パターン４２が設けられている。配線パターン４２は、複数のフレキシブル接続基板３５に接続されるとともに、導電性支持具７２ｅを介してモジュール基板７０上に設けられた配線パターン９１に接続されている。配線パターン９１は、スイッチング素子３７に接続されている。
【０１１０】
続いて、複数のフレキシブル接続基板３５から流出した駆動電流は、配線パターン４２、導電性支持具７２ｅおよび配線パターン９１を順に流れ、その後、スイッチング素子３７に流入する。
【０１１１】
ここで、図４（ｃ）に示すように、サステイン回路基板３２上において、図示しない絶縁層を介して上記配線パターン４２に対向するように配線パターン４３が設けられている。なお、部品実装面から見て、配線パターン４２、絶縁層および配線パターン４３の順に形成されている。
【０１１２】
配線パターン４３は、複数の導電性支持具３４に接続されるとともに、導電性支持具７２ｆを介してモジュール基板７０上に設けられた配線パターン９２に接続されている。配線パターン９２は、スイッチング素子３７に接続されている。なお、導電性支持具７２ｆは上記導電性支持具７２ｅに近接して平行に設けられている。
【０１１３】
続いて、スイッチング素子３７から流出した駆動電流は、配線パターン９２、導電性支持具７２ｆ、配線パターン４３および複数の導電性支持具３４を順に流れ、その後、図３の導電性基板３１に流入する。
【０１１４】
次に、図４（ｄ）に示すように、図３の導電性基板３１から流出した駆動電流は、複数の導電性支持具３４ａ、配線パターン４７、導電性支持具７２ｃ、導電層４９、導電性支持具７２ｂ、配線パターン８２および図５の導電性支持具７３ｂを順に流れ、その後、平滑コンデンサ４１のマイナス側電極に流入する。
【０１１５】
次に、図４（ａ）〜（ｄ）で示した本実施の形態に係るプラズマディスプレイ装置における駆動電流の全経路を下記の図６を参照しながら説明する。
【０１１６】
図６は、本実施の形態に係るプラズマディスプレイ装置の電気的等価回路を示す説明図である。なお、維持電極１１ｂにサステインパルスを印加する期間をｔとする。図６の太線の矢印は、維持電極１１ｂの駆動電流の経路を示す。
【０１１７】
図６において、フレキシブル接続基板３５ａは、ＰＤＰ６００の接続部Ｃ１３に接続され、フレキシブル接続基板３５は、ＰＤＰ６００の接続部Ｃ１４に接続される。
【０１１８】
また、導電性支持具３４ａは、導電性基板３１の接続部Ｃ１５に接続され、導電性支持具３４は、導電性基板３１の接続部Ｃ１６に接続される。
【０１１９】
図６に示すように、維持電極１１ｂの駆動電流の経路においては、以下の寄生インダクタンスが存在する。
【０１２０】
すなわち、配線パターン４８の寄生インダクタンスＬ４８、配線パターン４６の寄生インダクタンスＬ４６、フレキシブル接続基板３５ａの寄生インダクタンスＬ３５ａ、ＰＤＰ６００寄生インダクタンスＬ６００、フレキシブル接続基板３５の寄生インダクタンスＬ３５、配線パターン４２の寄生インダクタンスＬ４２、配線パターン４３の寄生インダクタンスＬ４３、導電性支持具３４の寄生インダクタンスＬ３４、導電性基板３１の寄生インダクタンスＬ３１、導電性支持具３４ａの寄生インダクタンスＬ３４ａ、配線パターン４７の寄生インダクタンスＬ４７および導電層４９の寄生インダクタンスＬ４９が存在する。また、放電セルの容量性成分Ｃが存在する。
【０１２１】
上記のように、本実施の形態に係るプラズマディスプレイ装置における駆動電流の経路には多くの寄生インダクタンスが存在しているが、配線パターン４８の寄生インダクタンスＬ４８と導電層４９の寄生インダクタンスＬ４９とに互いに逆方向の駆動電流が流れる。それにより、配線パターン４８の寄生インダクタンスＬ４８により発生する起電力の向きと導電層４９の寄生インダクタンスＬ４９により発生する起電力の向きとが逆になり、それらの起電力が互いに打ち消し合う。すなわち、配線パターン４８および導電層４９により負の相互インダクタンスが形成され、寄生インダクタンスＬ４８と寄生インダクタンスＬ４９とが等価的に低減される。その結果、ＰＤＰ６００における走査電極１１ａおよび維持電極１１ｂの電圧波形のリンギングを低減することができる。
【０１２２】
また、配線パターン４６の寄生インダクタンスＬ４６と配線パターン４７の寄生インダクタンスＬ４７とに互いに逆方向の駆動電流が流れる。それにより、配線パターン４６の寄生インダクタンスＬ４６により発生する起電力の向きと配線パターンＬ４７の寄生インダクタンスＬ４７により発生する起電力の向きとが逆になり、それらの起電力が互いに打ち消し合う。すなわち、配線パターン４６および配線パターン４７により負の相互インダクタンスが形成され、寄生インダクタンスＬ４６と寄生インダクタンスＬ４７とが等価的に低減される。その結果、ＰＤＰ６００における走査電極１１ａおよび維持電極１１ｂの電圧波形のリンギングをより低減することができる。
【０１２３】
また、フレキシブル接続基板３５ａの寄生インダクタンスＬ３５ａと導電性支持具３４ａの寄生インダクタンスＬ３４ａとに互いに逆方向の駆動電流が流れる。それにより、フレキシブル接続基板３５ａの寄生インダクタンスＬ３５ａにより発生する起電力の向きと導電性支持具３４ａの寄生インダクタンスＬ３４ａにより発生する起電力の向きとが逆になり、それらの起電力が互いに打ち消し合う。すなわち、フレキシブル接続基板３５ａおよび導電性支持具３４ａにより負の相互インダクタンスが形成され、寄生インダクタンスＬ３５ａと寄生インダクタンスＬ３４ａとが等価的に低減される。その結果、ＰＤＰ６００における走査電極１１ａおよび維持電極１１ｂの電圧波形のリンギングをより低減することができる。
【０１２４】
また、ＰＤＰ６００の寄生インダクタンスＬ６００と導電性基板３１の寄生インダクタンスＬ３１とに互いに逆方向の駆動電流が流れる。それにより、ＰＤＰ６００の寄生インダクタンスＬ６００により発生する起電力の向きと導電性基板３１の寄生インダクタンスＬ３１により発生する起電力の向きとが逆になり、それらの起電力が互いに打ち消し合う。すなわち、ＰＤＰ６００および導電性基板３１により負の相互インダクタンスが形成され、寄生インダクタンスＬ６００と寄生インダクタンスＬ３１とが等価的に低減される。その結果、ＰＤＰ６００における走査電極１１ａおよび維持電極１１ｂの電圧波形のリンギングをより低減することができる。
【０１２５】
また、フレキシブル接続基板３５の寄生インダクタンスＬ３５と導電性支持具３４の寄生インダクタンスＬ３４とに互いに逆方向の駆動電流が流れる。それにより、フレキシブル接続基板３５の寄生インダクタンスＬ３５により発生する起電力の向きと導電性支持具３４の寄生インダクタンスＬ３４により発生する起電力の向きとが逆になり、それらの起電力が互いに打ち消し合う。すなわち、フレキシブル接続基板３５および導電性支持具３４により負の相互インダクタンスが形成され、寄生インダクタンスＬ３５と寄生インダクタンスＬ３４とが等価的に低減される。その結果、ＰＤＰ６００における走査電極１１ａおよび維持電極１１ｂの電圧波形のリンギングをより低減することができる。
【０１２６】
さらに、配線パターン４２の寄生インダクタンスＬ４２と配線パターン４３の寄生インダクタンスＬ４３とに互いに逆方向の駆動電流が流れる。それにより、配線パターン４２の寄生インダクタンスＬ４２により発生する起電力の向きと配線パターン４３の寄生インダクタンスＬ４３により発生する起電力の向きとが逆になり、それらの起電力が互いに打ち消し合う。すなわち、配線パターン４２および配線パターン４３により負の相互インダクタンスが形成され、寄生インダクタンスＬ４２と寄生インダクタンスＬ４３とが等価的に低減される。その結果、ＰＤＰ６００における走査電極１１ａおよび維持電極１１ｂの電圧波形のリンギングをさらに低減することができる。
【０１２７】
なお、本実施の形態では、導電性支持具７２ａおよび導電性支持具７２ｂが互いに近接した位置に平行に設けられており、導電性支持具７２ａの寄生インダクタンスに流れる駆動電流と導電性支持具７２ｂの寄生インダクタンスに流れる駆動電流とが互いに逆の方向に流れる。それにより、導電性支持具７２ａの寄生インダクタンスにより発生する起電力の向きと導電性支持具７２ｂの寄生インダクタンスにより発生する起電力の向きとが逆になり、それらの起電力が互いに打ち消し合う。すなわち、導電性支持具７２ａおよび導電性支持具７２ｂにより負の相互インダクタンスが形成され、導電性支持具７２ａの寄生インダクタンスと導電性支持具７２ｂの寄生インダクタンスとが等価的に低減される。その結果、ＰＤＰ６００における走査電極１１ａおよび維持電極１１ｂの電圧波形のリンギングをさらに低減することができる。
【０１２８】
また、導電性支持具７２ｃおよび導電性支持具７２ｄが互いに近接した位置に平行に設けられており、導電性支持具７２ｃの寄生インダクタンスに流れる駆動電流と導電性支持具７２ｄの寄生インダクタンスに流れる駆動電流とが互いに逆の方向に流れる。それにより、導電性支持具７２ｃの寄生インダクタンスにより発生する起電力の向きと導電性支持具７２ｄの寄生インダクタンスにより発生する起電力の向きとが逆になり、それらの起電力が互いに打ち消し合う。すなわち、導電性支持具７２ｃおよび導電性支持具７２ｄにより負の相互インダクタンスが形成され、導電性支持具７２ｃの寄生インダクタンスと導電性支持具７２ｄの寄生インダクタンスとが等価的に低減される。その結果、ＰＤＰ６００における走査電極１１ａおよび維持電極１１ｂの電圧波形のリンギングをさらに低減することができる。
【０１２９】
さらに、導電性支持具７２ｅおよび導電性支持具７２ｆが互いに近接した位置に平行に設けられており、導電性支持具７２ｅの寄生インダクタンスに流れる駆動電流と導電性支持具７２ｆの寄生インダクタンスに流れる駆動電流とが互いに逆の方向に流れる。それにより、導電性支持具７２ｅの寄生インダクタンスにより発生する起電力の向きと導電性支持具７２ｆの寄生インダクタンスにより発生する起電力の向きとが逆になり、それらの起電力が互いに打ち消し合う。すなわち、導電性支持具７２ｅおよび導電性支持具７２ｆにより負の相互インダクタンスが形成され、導電性支持具７２ｅの寄生インダクタンスと導電性支持具７２ｆの寄生インダクタンスとが等価的に低減される。その結果、ＰＤＰ６００における走査電極１１ａおよび維持電極１１ｂの電圧波形のリンギングをさらに低減することができる。
【０１３０】
図７（ａ），（ｂ），（ｃ），（ｄ）は、サステイン回路基板３２，３３およびモジュール基板７０，７１上を流れる走査電極１１ａの駆動電流の経路を示す説明図である。
【０１３１】
なお、図７（ａ），（ｂ），（ｃ），（ｄ）は、サステイン回路基板３２上に設けられた平滑コンデンサ４０のプラス側電極から流出した駆動電流が平滑コンデンサ４０のマイナス側電極へ流入するまでの駆動電流の経路を順に示し、図７中の矢印は駆動電流の流れる方向を示している。
【０１３２】
また、図７（ａ）〜（ｄ）は、部品実装面から見た説明図であり、部品実装面から視認される配線パターンを実線の斜線により示し、部品実装面から視認されない配線パターンを点線の斜線により示している。
【０１３３】
ここで、図７（ａ）に示すように、平滑コンデンサ４０のプラス側電極は図示しない導電性支持具を介してサステイン回路基板３２上に設けられた配線パターン８３に接続されている。
【０１３４】
配線パターン８３は、導電性支持具７２ｇを介してモジュール基板７０の配線パターン４４に接続されている。配線パターン４４は、導電性支持具７２ｉを介してサステイン回路基板３２上に設けられた配線パターン４２に接続されている。なお、配線パターン４４は、図示しない絶縁層を介してアルミ基板からなる図７（ｄ）の導電層４５に対向するように形成されている。
【０１３５】
サステイン回路基板３２上に配線パターン８４、図示しない絶縁層および配線パターン８３がこの順に形成されている。
【０１３６】
平滑コンデンサ４０のプラス側電極から流出した駆動電流は、図示しない導電性支持具、配線パターン８３、導電性支持具７２ｇ、配線パターン４４、スイッチング素子３６、導電性支持具７２ｉおよび配線パターン４２を順に流れ、その後、複数のフレキシブル接続基板３５に流入する。
【０１３７】
複数のフレキシブル接続基板３５から流出した駆動電流は図３のＰＤＰ６００内を流れ、その後、図７（ｂ）の複数のフレキシブル接続基板３５ａに流入する。
【０１３８】
ここで、図７（ｂ）に示すように、モジュール基板７１上に配線パターン９３が設けられている。配線パターン９３は、スイッチング素子３９に接続されるとともに、導電性支持具７２ｋを介してサステイン回路基板３３上に設けられた配線パターン４６に接続されている。
【０１３９】
続いて、複数のフレキシブル接続基板３５ａから流出した駆動電流は、配線パターン４６、導電性支持具７２ｋおよび配線パターン９３を順に流れ、その後、スイッチング素子３９に流入する。
【０１４０】
ここで、図７（ｃ）に示すように、モジュール基板７１上に配線パターン９４が設けられている。配線パターン９４は、スイッチング素子３９に接続されるとともに、導電性支持具７２ｌを介して配線パターン４７に接続されている。
【０１４１】
続いて、スイッチング素子３９から流出した駆動電流は、配線パターン９４、上記導電性支持具７２ｋに近接して平行に設けられた導電性支持具７２ｌ、配線パターン４７および複数の導電性支持具３４ａを順に流れ、その後、図３の導電性基板３１に流入する。
【０１４２】
ここで、図７（ｄ）に示すように、モジュール基板７０の導電層４５は、上記導電性支持具７２ｉに近接して設けられた導電性支持具７２ｊを介して配線パターン４３に接続されている。
【０１４３】
また、モジュール基板７０の導電層４５は、上記導電性支持具７２ｇに近接して設けられた導電性支持具７２ｈを介してサステイン回路基板３２上に設けられた配線パターン８４に接続されている。
【０１４４】
配線パターン８４は、図示しない導電性支持具を介して平滑コンデンサ４０のマイナス側電極に接続されている。
【０１４５】
続いて、導電性基板３１から流出した駆動電流は、複数の導電性支持具３４、配線パターン４３、導電性支持具７２ｊ、導電層４５、導電性支持具７２ｈ、配線パターン８４および図示しない導電性支持具を順に流れ、その後、平滑コンデンサ４０のマイナス側電極に流入する。
【０１４６】
次に、図７（ａ）〜（ｄ）で示した本実施の形態に係るプラズマディスプレイ装置における駆動電流の全経路を下記の図８を参照しながら説明する。
【０１４７】
図８は、本実施の形態に係るプラズマディスプレイ装置の電気的等価回路を示す説明図である。なお、走査電極１１ａにサステインパルスを印加する期間をｓとする。図８の太線の矢印は、走査電極１１ａの駆動電流の経路を示す。
【０１４８】
図８に示すように、走査電極１１ａの駆動電流の経路においては、以下の寄生インダクタンスが存在する。
【０１４９】
すなわち、配線パターン４４の寄生インダクタンスＬ４４、配線パターン４２の寄生インダクタンスＬ４２、フレキシブル接続基板３５の寄生インダクタンスＬ３５、ＰＤＰ６００寄生インダクタンスＬ６００、フレキシブル接続基板３５ａの寄生インダクタンスＬ３５ａ、配線パターン４６の寄生インダクタンスＬ４６、配線パターン４７の寄生インダクタンスＬ４７、導電性支持具３４ａの寄生インダクタンスＬ３４ａ、導電性基板３１の寄生インダクタンスＬ３１、導電性支持具３４の寄生インダクタンスＬ３４、配線パターン４３の寄生インダクタンスＬ４３および導電層４５の寄生インダクタンスＬ４５が存在する。また、放電セルの容量性成分Ｃが存在する。
【０１５０】
上記のように、本実施の形態に係るプラズマディスプレイ装置における駆動電流の経路には多くの寄生インダクタンスが存在しているが、配線パターン４４の寄生インダクタンスＬ４４と導電層４５の寄生インダクタンスＬ４５とに互いに逆方向の駆動電流が流れる。それにより、配線パターン４４の寄生インダクタンスＬ４４により発生する起電力の向きと導電層４５の寄生インダクタンスＬ４５により発生する起電力の向きとが逆になり、それらの起電力が互いに打ち消し合う。すなわち、配線パターン４４および導電層４５により負の相互インダクタンスが形成され、寄生インダクタンスＬ４４と寄生インダクタンスＬ４５とが等価的に低減される。その結果、ＰＤＰ６００における走査電極１１ａおよび維持電極１１ｂの電圧波形のリンギングを低減することができる。
【０１５１】
また、配線パターン４２の寄生インダクタンスＬ４２と配線パターン４３の寄生インダクタンスＬ４３とに互いに逆方向の駆動電流が流れる。それにより、配線パターン４２の寄生インダクタンスＬ４２により発生する起電力の向きと配線パターン４３の寄生インダクタンスＬ４３により発生する起電力の向きとが逆になり、それらの起電力が互いに打ち消し合う。すなわち、配線パターン４２および配線パターン４３により負の相互インダクタンスが形成され、寄生インダクタンスＬ４２と寄生インダクタンスＬ４３とが等価的に低減される。その結果、ＰＤＰ６００における走査電極１１ａおよび維持電極１１ｂの電圧波形のリンギングをより低減することができる。
【０１５２】
また、フレキシブル接続基板３５の寄生インダクタンスＬ３５と導電性支持具３４の寄生インダクタンスＬ３４とに互いに逆方向の駆動電流が流れる。それにより、フレキシブル接続基板３５の寄生インダクタンスＬ３５により発生する起電力の向きと導電性支持具３４の寄生インダクタンスＬ３４により発生する起電力の向きとが逆になり、それらの起電力が互いに打ち消し合う。すなわち、フレキシブル接続基板３５および導電性支持具３４により負の相互インダクタンスが形成され、寄生インダクタンスＬ３５と寄生インダクタンスＬ３４とが等価的に低減される。その結果、ＰＤＰ６００における走査電極１１ａおよび維持電極１１ｂの電圧波形のリンギングをより低減することができる。
【０１５３】
また、ＰＤＰ６００の寄生インダクタンスＬ６００と導電性基板３１の寄生インダクタンスＬ３１とに互いに逆方向の駆動電流が流れる。それにより、ＰＤＰ６００の寄生インダクタンスＬ６００により発生する起電力の向きと導電性基板３１の寄生インダクタンスＬ３１により発生する起電力の向きとが逆になり、それらの起電力が互いに打ち消し合う。すなわち、ＰＤＰ６００および導電性基板３１により負の相互インダクタンスが形成され、寄生インダクタンスＬ６００と寄生インダクタンスＬ３１とが等価的に低減される。その結果、ＰＤＰ６００における走査電極１１ａおよび維持電極１１ｂの電圧波形のリンギングをより低減することができる。
【０１５４】
また、フレキシブル接続基板３５ａの寄生インダクタンスＬ３５ａと導電性支持具３４ａの寄生インダクタンスＬ３４ａとに互いに逆方向の駆動電流が流れる。それにより、フレキシブル接続基板３５ａの寄生インダクタンスＬ３５ａにより発生する起電力の向きと導電性支持具３４ａの寄生インダクタンスＬ３４ａにより発生する起電力の向きとが逆になり、それらの起電力が互いに打ち消し合う。すなわち、フレキシブル接続基板３５ａおよび導電性支持具３４ａにより負の相互インダクタンスが形成され、寄生インダクタンスＬ３５ａと寄生インダクタンスＬ３４ａとが等価的に低減される。その結果、ＰＤＰ６００における走査電極１１ａおよび維持電極１１ｂの電圧波形のリンギングをより低減することができる。
【０１５５】
さらに、配線パターン４６の寄生インダクタンスＬ４６と配線パターン４７の寄生インダクタンスＬ４７とに互いに逆方向の駆動電流が流れる。それにより、配線パターン４６の寄生インダクタンスＬ４６により発生する起電力の向きと配線パターン４７の寄生インダクタンスＬ４７により発生する起電力の向きとが逆になり、それらの起電力が互いに打ち消し合う。すなわち、配線パターン４６および配線パターン４７により負の相互インダクタンスが形成され、寄生インダクタンスＬ４６と寄生インダクタンスＬ４７とが等価的に低減される。その結果、ＰＤＰ６００における走査電極１１ａおよび維持電極１１ｂの電圧波形のリンギングをさらに低減することができる。
【０１５６】
なお、本実施の形態では、導電性支持具７２ｇおよび導電性支持具７２ｈが互いに近接した位置に設けられており、導電性支持具７２ｇの寄生インダクタンスに流れる駆動電流と導電性支持具７２ｈの寄生インダクタンスに流れる駆動電流とが互いに逆の方向に流れる。それにより、導電性支持具７２ｇの寄生インダクタンスにより発生する起電力の向きと導電性支持具７２ｈの寄生インダクタンスにより発生する起電力の向きとが逆になり、それらの起電力が互いに打ち消し合う。すなわち、導電性支持具７２ｇおよび導電性支持具７２ｈにより負の相互インダクタンスが形成され、導電性支持具７２ｇの寄生インダクタンスと導電性支持具７２ｈの寄生インダクタンスとが等価的に低減される。その結果、ＰＤＰ６００における走査電極１１ａおよび維持電極１１ｂの電圧波形のリンギングをさらに低減することができる。
【０１５７】
また、導電性支持具７２ｉおよび導電性支持具７２ｊが互いに近接した位置に設けられており、導電性支持具７２ｉの寄生インダクタンスに流れる駆動電流と導電性支持具７２ｊの寄生インダクタンスに流れる駆動電流とが互いに逆の方向に流れる。それにより、導電性支持具７２ｉの寄生インダクタンスにより発生する起電力の向きと導電性支持具７２ｊの寄生インダクタンスにより発生する起電力の向きとが逆になり、それらの起電力が互いに打ち消し合う。すなわち、導電性支持具７２ｉおよび導電性支持具７２ｊにより負の相互インダクタンスが形成され、導電性支持具７２ｉの寄生インダクタンスと導電性支持具７２ｊの寄生インダクタンスとが等価的に低減される。その結果、ＰＤＰ６００における走査電極１１ａおよび維持電極１１ｂの電圧波形のリンギングをさらに低減することができる。
【０１５８】
さらに、導電性支持具７２ｋおよび導電性支持具７２ｌが互いに近接した位置に設けられており、導電性支持具７２ｋの寄生インダクタンスに流れる駆動電流と導電性支持具７２ｌの寄生インダクタンスに流れる駆動電流とが互いに逆の方向に流れる。それにより、導電性支持具７２ｋの寄生インダクタンスにより発生する起電力の向きと導電性支持具７２ｌの寄生インダクタンスにより発生する起電力の向きとが逆になり、それらの起電力が互いに打ち消し合う。すなわち、導電性支持具７２ｋおよび導電性支持具７２ｌにより負の相互インダクタンスが形成され、導電性支持具７２ｋの寄生インダクタンスと導電性支持具７２ｌの寄生インダクタンスとが等価的に低減される。その結果、ＰＤＰ６００における走査電極１１ａおよび維持電極１１ｂの電圧波形のリンギングをさらに低減することができる。
【０１５９】
以上のように、本実施の形態に係るプラズマディスプレイ装置においては、近接する寄生インダクタンスにそれぞれ逆方向の駆動電流が流れる。それにより、負の相互インダクタンスが形成され、近接する寄生インダクタンスが等価的に低減される。これにより、変化率の大きい駆動電流が流れても、走査電極１１ａおよび維持電極１１ｂに印加される電圧波形のリンギングを抑制することができる。したがって、ＰＤＰ６００の各放電セルの輝度がばらつくことを抑制することができる。このことを以下に示す一例により説明する。
【０１６０】
図９は、本実施の形態に係るプラズマディスプレイ装置における走査電極１１ａの電圧波形、維持電極１１ｂの電圧波形およびＰＤＰ６００の駆動電流波形を示す説明図である。
【０１６１】
図９に示すように、走査電極１１ａにサステインパルスを印加する期間ｓおよび維持電極１１ｂにサステインパルスを印加する期間ｔにおいて、駆動電流が変化率１０9 Ａ／ｓで変化した場合に、例えば４２インチサイズのＰＤＰ６００の場合、図１１の従来のプラズマディスプレイ装置では、図１２に示したように約５０Ｖのリンギングが生じる。本実施の形態に係るプラズマディスプレイ装置では、リンギングは約２０Ｖにまで低減される。
【０１６２】
本実施の形態においては、ＰＤＰ６００がプラズマディスプレイパネルに相当し、モジュール基板７０，７１が第１の回路基板に相当し、サステイン回路基板３２，３３が第２の回路基板に相当し、配線パターン４４，４８が第１の配線層に相当し、導電層４５，４９が導電層に相当し、配線パターン４２，４６が第２の配線層に相当し、配線パターン４３，４７が第３の配線層に相当し、配線パターン８１，８３が第４の配線層に相当し、配線パターン８２，８４が第５の配線層に相当する。
【０１６３】
また、フレキシブル接続基板３５ａが第１のフレキシブル接続基板に相当し、フレキシブル接続基板３５が第２のフレキシブル接続基板に相当し、導電性支持具７２ｄが第１の導電性支持具に相当し、導電性支持具７２ｃが第２の導電性支持具に相当し、導電性支持具７２ａが第３の導電性支持具に相当し、導電性支持具７２ｂが第４の導電性支持具に相当し、導電性支持具３４ａが第５の導電性支持具に相当し、導電性支持具３４が第６の導電性支持具に相当する。
【０１６４】
さらに、接続部Ｃ１〜Ｃ１６がそれぞれ第１〜第１６の接続部に相当する。
【０１６５】
なお、サステイン回路基板３２，３３上に絶縁層を介して表裏対向するように形成される配線パターン４２，４３および配線パターン４６，４７の形状をそれぞれほぼ同様な形状としたが、これに限定されるものではなく、互いに異なった配線パターンの形状の一部分がそれぞれ対向するように設定してもよい。
【産業上の利用可能性】
【０１６６】
本発明は、種々の映像を表示するため等に利用することができる。
【図面の簡単な説明】
【０１６７】
【図１】本発明の実施の形態に係るプラズマディスプレイ装置の構成を示すブロック図
【図２】図１に示すプラズマディスプレイ装置に適用されるＡＤＳ方式を説明するための図
【図３】本実施の形態に係るプラズマディスプレイ装置を示す外観斜視図
【図４】（ａ），（ｂ），（ｃ），（ｄ）は、サステイン回路基板およびモジュール基板上を流れる維持電極の駆動電流の経路を示す説明図
【図５】図４（ａ）に示す駆動電流の経路の詳細を示す説明図
【図６】本実施の形態に係るプラズマディスプレイ装置の電気的等価回路を示す説明図
【図７】（ａ），（ｂ），（ｃ），（ｄ）は、サステイン回路基板およびモジュール基板上を流れる走査電極の駆動電流の経路を示す説明図
【図８】本実施の形態に係るプラズマディスプレイ装置の電気的等価回路を示す説明図
【図９】本実施の形態に係るプラズマディスプレイ装置における走査電極の電圧波形、維持電極の電圧波形およびＰＤＰの駆動電流波形を示す説明図
【図１０】プラズマディスプレイ装置のプラズマディスプレイパネルの構造を示す模式図
【図１１】プラズマディスプレイ装置の回路基板の構造を示す外観斜視図
【図１２】走査電極の電圧波形、維持電極の電圧波形およびＰＤＰの駆動電流波形を示す説明図
【図１３】プラズマディスプレイ装置における駆動電流の経路を示す概略図
【符号の説明】
【０１６８】
１１ａ  走査電極
１１ｂ  維持電極
３１  導電性基板
３２，３３  サステイン回路基板
３４，３４ａ，７２，７２ａ，７２ｂ，７２ｃ，７２ｄ，７２ｅ，７２ｆ，７２ｇ，７２ｈ，７２ｉ，７２ｊ，７２ｋ，７２ｌ，７３ａ，７３ｂ  導電性支持具
３５，３５ａ  フレキシブル接続基板
３６，３７，３８，３９  スイッチング素子
４０，４１  平滑コンデンサ
４２，４３，４４，４６，４７，４８，８１，８２，８３，８４，９１，９２，９３，９４  配線パターン
４５，４９  導電層
４６ａ，４８ａ，８１ａ  絶縁層
５０  電源回路
５１，５２  配線部材
７０，７１  モジュール基板
２００  Ａ／Ｄコンバータ
３００  走査数変換部
４００  サブフィールド変換部
５００  放電制御タイミング発生回路
６００  プラズマディスプレイパネル
７００  データドライバ
８００  スキャンドライバ
９００  サステインドライバ
Ｃ１，Ｃ２，Ｃ３，Ｃ４，Ｃ５，Ｃ６，Ｃ７，Ｃ８，Ｃ９，Ｃ１０，Ｃ１１，Ｃ１２，Ｃ１３，Ｃ１４，Ｃ１５，Ｃ１６  接続部
Ｌ３１，Ｌ３４，Ｌ３４ａ，Ｌ３５，Ｌ３５ａ，Ｌ４２，Ｌ４３，Ｌ４４，Ｌ４５，Ｌ４６，Ｌ４７，Ｌ４８，Ｌ４９，Ｌ６００  寄生インダクタンス
【図１】
2006003810.tif 000003
【図２】
2006003810.tif 000004
【図３】
2006003810.tif 000005
【図４】
2006003810.tif 000006
【図５】
2006003810.tif 000007
【図６】
2006003810.tif 000008
【図７】
2006003810.tif 000009
【図８】
2006003810.tif 000010
【図９】
2006003810.tif 000011
【図１０】
2006003810.tif 000012
【図１１】
2006003810.tif 000013
【図１２】
2006003810.tif 000014
【図１３】
2006003810.tif 000015